(57)【特許請求の範囲】
【請求項１】
吸込口および吹出口が形成された本体と、
前記本体の内部に収納され、前記吸込口から空気を前記本体の内部に吸い込み、前記吹出口から空気を前記本体の外部へ吹き出すファンと、
前記本体の内部に吸い込んだ空気と熱交換を行う熱交換器と、を備え、
前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、
複数の開口を有する開口面を有するフィンガードを備え、
前記フィンガードは、前記開口面が前記熱交換器の前記ファン側の面と対向するように取り付けられ、
前記フィンガードの前記開口面は、
左右方向に所定の間隔を空けて設けられた複数の縦桟と、上下方向に所定の間隔を開けて設けられた複数の横桟と、で格子形状が形成されており、
前記ファンは、リングと翼とで構成される貫流ファンであり、
前記縦桟は、前記リングと対向する位置に設けられている
ことを特徴とする空気調和機。
【請求項２】
吸込口および吹出口が形成された本体と、
前記本体の内部に収納され、前記吸込口から空気を前記本体の内部に吸い込み、前記吹出口から空気を前記本体の外部へ吹き出すファンと、
前記本体の内部に吸い込んだ空気と熱交換を行う熱交換器と、を備え、
前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、
複数の開口を有する開口面を有するフィンガードを備え、
前記フィンガードは、前記開口面が前記熱交換器の前記ファン側の面と対向するように取り付けられ、
前記フィンガードの前記開口面は、
左右方向に所定の間隔を空けて設けられた複数の縦桟と、上下方向に所定の間隔を開けて設けられた複数の横桟と、で格子形状が形成されており、
前記横桟は、前記伝熱管と対向する位置に設けられている
ことを特徴とする空気調和機。
【請求項３】
前記横桟は、上下方向の端部がＲ形状を有している
ことを特徴とする請求項１または２に記載の空気調和機。
【請求項４】
吸込口および吹出口が形成された本体と、
前記本体の内部に収納され、前記吸込口から空気を前記本体の内部に吸い込み、前記吹出口から空気を前記本体の外部へ吹き出すファンと、
前記本体の内部に吸い込んだ空気と熱交換を行う熱交換器と、を備え、
前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、
複数の開口を有する開口面を有するフィンガードを備え、
前記フィンガードは、前記開口面が前記熱交換器の前記ファン側の面と対向するように取り付けられ、
前記フィンガードは、前記開口面の下端部に平面を備え、
前記平面は前記開口面に対して傾斜させて設けられている
ことを特徴とする空気調和機。
【請求項５】
前記平面は、前記熱交換器の下面と対向する位置に設けられている
ことを特徴とする請求項４に記載の空気調和機。
【請求項６】
吸込口および吹出口が形成された本体と、
前記本体の内部に収納され、前記吸込口から空気を前記本体の内部に吸い込み、前記吹出口から空気を前記本体の外部へ吹き出すファンと、
前記本体の内部に吸い込んだ空気と熱交換を行う熱交換器と、を備え、
前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、
複数の開口を有する開口面を有するフィンガードを備え、
前記フィンガードは、前記開口面が前記熱交換器の前記ファン側の面と対向するように取り付けられ、
前記熱交換器の左右端部に取り付けられた取付板を備え、
前記取付板の一方には板側嵌合部が設けられており、
前記フィンガードの左右いずれかの一端には、前記板側嵌合部と嵌合する嵌合部を備えた
ことを特徴とする空気調和機。
【請求項７】
前記フィンガードは樹脂製である
ことを特徴とする請求項１〜６のいずれか一項に記載の空気調和機。
【請求項８】
前記縦桟は、前記熱交換器側に突出し、溝部が形成された第一凸部を備え、
前記第一凸部は、
隣り合う前記伝熱管どうしの間に撓んで挿入されている
ことを特徴とする請求項１〜３のいずれか一項に従属する請求項７に記載の空気調和機。
【請求項９】
吸込口および吹出口が形成された本体と、
前記本体の内部に収納され、前記吸込口から空気を前記本体の内部に吸い込み、前記吹出口から空気を前記本体の外部へ吹き出すファンと、
前記本体の内部に吸い込んだ空気と熱交換を行う熱交換器と、を備え、
前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、
複数の開口を有する開口面を有するフィンガードを備え、
前記フィンガードは、前記開口面が前記熱交換器の前記ファン側の面と対向するように取り付けられ、
前記フィンガードの前記開口面は、
左右方向に所定の間隔を空けて設けられた複数の縦桟と、上下方向に所定の間隔を開けて設けられた複数の横桟と、で格子形状が形成されており、
前記熱交換器の左右端部に取り付けられた取付板を備え、
前記取付板の一方には板側嵌合部が設けられており、
前記フィンガードの左右いずれかの一端には、前記板側嵌合部と嵌合する嵌合部を備えた
前記縦桟は、前記熱交換器側に突出し、溝部が形成された第一凸部を備え、
前記第一凸部は、
隣り合う前記伝熱管どうしの間に撓んで挿入されており、
前記取付板の他方には、隣り合う前記伝熱管どうしの間に配置されるねじ穴を有し、
前記フィンガードは、
前記第一凸部の溝部が前記ねじ穴の位置と合うように挿入された状態で前記取付板にねじ固定されている
ことを特徴とする空気調和機。
【請求項１０】
前記縦桟は、前記第一凸部の上側および下側のいずれか一方に、前記熱交換器側に突出した第二凸部を備え、
前記第二凸部は、隣り合う前記伝熱管どうしの間に挿入されている
ことを特徴とする請求項８または９に記載の空気調和機。
【発明の詳細な説明】
【技術分野】
【０００１】
本発明は、室内ユニットが前面熱交換器と背面熱交換器とで構成された熱交換器を有する空気調和機に関し、特に室内ユニットにおける熱交換器の保護構造に関するものである。
【背景技術】
【０００２】
従来、室内ユニットが前面熱交換器と背面熱交換器とで構成された熱交換器を有する空気調和機において、熱交換器のフィンを保護する技術が開示されている（たとえば、特許文献１参照）。
【０００３】
特許文献１では、本体の前面に形成された前面枠にフィンエッジ保護部が一体的に形成されている。そして、このフィンエッジ保護部により、本体の上部前方の副熱交換器と対向する位置に設けられている空気清浄フィルタの着脱時に、副熱交換器のプレートフィンを保護するとともに、挿入した指あるいは手をフィン下端で傷つけないようにしている。
【先行技術文献】
【特許文献】
【０００４】
【特許文献１】特開２０００−１８６９９号公報（たとえば、［００３０］〜［００３２］、図３、図７参照）
【発明の概要】
【発明が解決しようとする課題】
【０００５】
室内ユニットが前面熱交換器と背面熱交換器とで構成された熱交換器を有する空気調和機において、熱交換器を本体に取り付ける際に背面側が見えづらい。そのため、熱交換器の内側が本体の内部とぶつかり、熱交換器のフィンが傷ついたり潰れたりしてしまうことがあった。そしてその結果、熱交換性能が悪化してしまうという課題があった。
特許文献１では、前面熱交換器に設けられた副熱交換器のフィンを保護するものであり、上記課題について解決することはできなかった。
【０００６】
本発明は、以上のような課題を解決するためになされたもので、室内ユニットが前面熱交換器と背面熱交換器とで構成された熱交換器を有する空気調和機において、熱交換器を本体に取り付ける際に熱交換器のフィンを保護し、フィンが傷ついたり潰れたりして熱交換性能が悪化するのを抑制することができる空気調和機を提供することを目的としている。
【課題を解決するための手段】
【０００７】
本発明に係る空気調和機は、吸込口および吹出口が形成された本体と、前記本体の内部に収納され、前記吸込口から空気を前記本体の内部に吸い込み、前記吹出口から空気を前記本体の外部へ吹き出すファンと、前記本体の内部に吸い込んだ空気と熱交換を行う熱交換器と、を備え、前記熱交換器は、フィンと伝熱管とからなり、前面熱交換器と背面熱交換器とで構成され、前記前面熱交換器が前面側、前記背面熱交換器が背面側に配置され、前記ファンを覆うように前記本体の内部に収納される空気調和機であって、複数の開口を有する開口面を有するフィンガードを備え、前記フィンガードは、前記開口面が前記熱交換器の前記ファン側の面と対向するように取り付けられ、前記フィンガードの前記開口面は、左右方向に所定の間隔を空けて設けられた複数の縦桟と、上下方向に所定の間隔を開けて設けられた複数の横桟と、で格子形状が形成されており、前記ファンは、リングと翼とで構成される貫流ファンであり、前記縦桟は、前記リングと対向する位置に設けられているものである。
【発明の効果】
【０００８】
本発明に係る空気調和機によれば、フィンガードを本体の内部とぶつかりやすい熱交換器の内面に取り付けることで、熱交換器を本体に取り付ける際に本体の内部にぶつけたとしても、熱交換器の代わりにフィンガードがぶつかり、熱交換器への衝撃が緩和されるため、熱交換器のフィンを保護することができる。そのため、フィンが傷ついたり潰れたりして熱交換性能が悪化するのを抑制することができる。
【図面の簡単な説明】
【０００９】
【図１】本発明の実施の形態に係る空気調和機の正面斜視図である。
【図２】本発明の実施の形態に係る空気調和機の縦断面図である。
【図３】本発明の実施の形態に係る空気調和機の熱交換器の正面斜視図である。
【図４】本発明の実施の形態に係る空気調和機の第一取付板の正面斜視図である。
【図５】本発明の実施の形態に係る空気調和機のフィンガードの側面図である。
【図６】本発明の実施の形態に係る空気調和機のフィンガードの平面斜視図である。
【図７】本発明の実施の形態に係る空気調和機の熱交換器にフィンガードを取り付ける際の熱交換器およびフィンガードの正面斜視図である。
【図８】本発明の実施の形態に係る空気調和機の熱交換器にフィンガードを取り付ける際の熱交換器およびフィンガードの左側拡大図である。
【図９】本発明の実施の形態に係る空気調和機の熱交換器にフィンガードを取り付ける際の熱交換器およびフィンガードの第一の右側拡大図である。
【図１０】本発明の実施の形態に係る空気調和機の熱交換器にフィンガードを取り付ける際の熱交換器およびフィンガードの第二の右側拡大図である。
【図１１】本発明の実施の形態に係る空気調和機の熱交換器にフィンガードを取り付ける際の熱交換器およびフィンガードの右側面図である。
【図１２】本発明の実施の形態に係る空気調和機の熱交換器の左右の要部概略図である。
【図１３】本発明の実施の形態に係る空気調和機の本体に熱交換器を取り付ける際の空気調和機の縦断面図である。
【図１４】本発明の実施の形態に係る空気調和機の本体に熱交換器を取り付けた際の空気調和機の縦断面図である。
【図１５】本発明の実施の形態に係る空気調和機の本体の内部の要部を示す図である。
【図１６】本発明の実施の形態に係る空気調和機の本体の内部の要部を示す拡大図である。
【図１７】本発明の実施の形態に係る空気調和機の縦断面における要部を拡大した概略図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態．
図１は、本発明の実施の形態に係る空気調和機の正面斜視図、図２は、本発明の実施の形態に係る空気調和機の縦断面図である。なお、図２中の矢印は空気の流れを示している。
図１および図２に示すように、本発明の実施の形態に係る空気調和機の室内ユニットは、前面筐体１ａと、前面筐体１ａの背面に取り付けられた背面筐体１ｂと、で本体１の外郭を構成している。また、前面筐体１ａの前面には、上下方向に回動可能な意匠前面パネル２が設けられている。
【００１２】
前面筐体１ａの上部には、本体１の内部に空気を吸い込む吸込口６が設けられており、また、前面筐体１ａの下部には、本体１の内部から空気を吹き出す吹出口４が設けられている。また、吹出口４には、そこから吹き出される空気の上下方向の向きを変更する風向上下変更板５が設けられている。
【００１３】
また、本体１の内部には、図２の矢印のように空気の流れを発生させる貫流ファン１０と、貫流ファン１０を上側から覆うように配置され、空気と熱交換を行う熱交換器２０と、が少なくとも収容されている。本実施の形態に係る熱交換器２０はフィンチューブ式であり、複数並べられた（積層された）フィン２１に伝熱管２２が複数箇所で交差している。また、熱交換器２０は、本体１の前面側に配置される、弓型の一体成形形状の前面熱交換器２０ａと、本体１の背面側に配置される、直線形状の背面熱交換器２０ｂと、で構成されている。
【００１４】
なお、本実施の形態では、前面熱交換器２０ａを弓型の一体成形形状としたが、それに限定されず、直線形状のものを１個、または複数個を多段に曲げて配置する構成としてもよい。また、背面熱交換器２０ｂも同じように弓型の一体成形形状、または直線形状のものを複数個多段に曲げて配置する構成としてもよい。
【００１５】
図３は、本発明の実施の形態に係る空気調和機の熱交換器２０の正面斜視図である。
図３に示すように、正面視において左端部には第一取付板２４が取り付けられており、また、右端部には第二取付板２５が取り付けられている。また、背面熱交換器２０ｂの下側前面（または熱交換器２０の背面側の下側内面）には、熱交換器２０のフィン２１を保護するフィンガード２３が取り付けられている。
ここで、背面熱交換器２０ｂの前面および熱交換器２０の内面は、貫流ファン１０側の面のことである。
【００１６】
図４は、本発明の実施の形態に係る空気調和機の第一取付板２４の正面斜視図である。
第一取付板２４および第二取付板２５は、熱交換器２０を本体１の内部に収納する際に、背面筐体１ｂの左右に設けられた固定板（図示せず）にそれぞれ取り付けられることにより、熱交換器２０の位置を固定するものである。
図４に示すように、第一取付板２４の一方の面には、熱交換器２０側（図４の右側）に対して垂直方向に突出し、内側に溝が形成された板側嵌合部２４ａが設けられている。なお、板側嵌合部２４ａは、第一取付板２４の一部に穴を形成して設けてもよい。
【００１７】
図５は、本発明の実施の形態に係る空気調和機のフィンガード２３の側面図、図６は、本発明の実施の形態に係る空気調和機のフィンガード２３の平面斜視図である。なお、図６は、熱交換器２０と対向する面側から平面視した斜視図である。
フィンガード２３は、格子形状を有する格子面と平面２３ｃとで構成され、たとえばポリプロピレン（ＰＰ）などの樹脂で成形されている。
なお、フィンガード２３の格子面は、本発明の「開口面」に相当する。
また、本実施の形態では、フィンガード２３は、格子面が格子形状を有するとしたが、格子形状ではなく複数の開口を有する形状としてもよい。
【００１８】
格子面は長方形状であり、長手方向に所定の間隔を開けて設けられた複数の縦桟２３ａと、短手方向に所定の間隔を開けて設けられた複数の横桟２３ｂと、で格子形状が形成されている。また、平面２３ｃは長方形状であり、格子面の短手方向の一端に、格子面に対して熱交換器２０側（図６の上側）に傾斜させて設けられている。
なお、フィンガード２３の格子面および平面２３ｃの形状は、長方形状に限定されない。
【００１９】
フィンガード２３の長手方向の左端部には、外側（図６の左側）に突出した嵌合部２３ｄが設けられている。
また、各縦桟２３ａには、熱交換器２０側（図６の上側）に突出し、中央にＵ字形状の溝部が形成された第一凸部２３ｅが設けられており、また、第一凸部２３ｅの上側には、同じく熱交換器２０側（図６の上側）に突出した第二凸部２３ｆが設けられている。
なお、第一凸部２３ｅと第二凸部２３ｆとの位置を反対にして設けてもよい。
【００２０】
図７は、本発明の実施の形態に係る空気調和機の熱交換器２０にフィンガード２３を取り付ける際の熱交換器２０およびフィンガード２３の正面斜視図、図８は、本発明の実施の形態に係る空気調和機の熱交換器２０にフィンガード２３を取り付ける際の熱交換器２０およびフィンガード２３の左側拡大図である。なお、図７中の矢印は取り付け方向を示している。
次に、フィンガード２３の熱交換器２０への取り付け方法について説明する。
まず初めに、図７および図８に示すように、フィンガード２３の左端部に設けられた嵌合部２３ｄを、熱交換器２０の左端部に取り付けられた、第一取付板２４の熱交換器２０側の面に設けられた板側嵌合部２４ａに（図７の矢印方向に）挿入する。
なお、嵌合部２３ｄと板側嵌合部２４ａとの形状を反対にして設けてもよい。
【００２１】
図９は、本発明の実施の形態に係る空気調和機の熱交換器２０にフィンガード２３を取り付ける際の熱交換器２０およびフィンガード２３の第一の右側拡大図、図１０は、本発明の実施の形態に係る空気調和機の熱交換器２０にフィンガード２３を取り付ける際の熱交換器２０およびフィンガード２３の第二の右側拡大図である。
【００２２】
次に、図９および図１０に示すように、縦桟２３ａに設けられた第一凸部２３ｅおよび第二凸部２３ｆを、背面熱交換器２０ｂの隣り合う伝熱管２２どうしの間に（図７および図９の矢印方向に）挿入する。
【００２３】
このとき、第二取付板２５には、背面熱交換器２０ｂの右端部において、隣り合う伝熱管２２どうしの間に配置されるねじ穴３０ａが設けられているが、フィンガード２３の長手方向の右端部に位置する縦桟２３ａに設けられた第一凸部２３ｅの溝部が、そのねじ穴３０ａの位置と合うように挿入する。
【００２４】
図１１は、本発明の実施の形態に係る空気調和機の熱交換器２０にフィンガード２３を取り付ける際の熱交換器２０およびフィンガード２３の右側面図である。なお、図１１は、図３におけるＢ方向から見た図である。
図１１に示すように、第一凸部２３ｅの、背面熱交換器２０ｂへの挿入方向に対して垂直方向である幅は、隣り合う伝熱管２２どうしの間隔よりも長く、かつ、その隣り合う伝熱管２２どうしの間に挿入可能な長さとなるように設けられている。そして、第一凸部２３ｅは、隣り合う伝熱管２２どうしの間に挿入された時、伝熱管２２に押されて自身の溝部側に撓んだ状態となる。そのため、第一凸部２３ｅの応力によって、フィンガード２３の短手方向の動き、およびフィンガード２３が背面熱交換器２０ｂから外れる動きを抑制している。
【００２５】
また、第二凸部２３ｆの、背面熱交換器２０ｂへの挿入方向に対して垂直方向である幅は、隣り合う伝熱管２２どうしの間隔よりも短くなるように設けられている。そのため、（フィンガード２３が動いたら）第二凸部２３ｆの一端が伝熱管２２と接触した状態となるため、第二凸部２３ｆは、フィンガード２３の短手方向の動き、およびフィンガード２３が背面熱交換器２０ｂから外れる動きを抑制している。
【００２６】
さらに、第一凸部２３ｅおよび第二凸部２３ｆは、フィンガード２３の長手方向に所定の間隔を開けて設けられた複数の縦桟２３ａに設けられているため、第一凸部２３ｅおよび第二凸部２３ｆは、背面熱交換器２０ｂの隣り合うフィン２１どうしの間から、伝熱管２２に対して所定の間隔毎に挿入される。そして、（フィンガード２３が動いたら）第一凸部２３ｅおよび第二凸部２３ｆの一面がフィン２１と接触した状態となるため、第一凸部２３ｅおよび第二凸部２３ｆは、フィンガード２３の長手方向の動きを抑制している。
つまり、第一凸部２３ｅおよび第二凸部２３ｆによって、フィンガード２３が背面熱交換器２０ｂに仮止めされた状態となる。
【００２７】
図１２は、本発明の実施の形態に係る空気調和機の熱交換器２０の左右の要部概略図である。なお、図１２は、図３におけるＡ方向から見た図であり、中央部を省略して示している。
最後に、図１２に示すように、第一凸部２３ｅの溝部と合わせた第二取付板２５のねじ穴３０ａに（図７の矢印方向に）ねじ３０を挿入し、ねじ込んでねじ３０と熱交換器２０の右端部に取り付けられた第二取付板２５とで第一凸部２３ｅを挟んで、フィンガード２３を第二取付板２５にねじ止めする。
このとき、フィンガード２３の格子面が背面熱交換器２０ｂの前面と、フィンガード２３の平面２３ｃが背面熱交換器２０ｂの下面と、それぞれ対向するように配置されている。
以上の方法により、フィンガード２３を熱交換器２０へ容易に取り付けることができる。
【００２８】
また、フィンガード２３を熱交換器２０に取り付けることにより、背面熱交換器２０ｂの下側前面および下面がフィンガード２３で覆われ、その部分における熱交換器２０のフィン２１を保護することができる。
なお、本実施の形態では、第一凸部２３ｅは中央にＵ字形状の溝部が形成されているとしたが、厳密に中央である必要はなく、厳密にＵ字形状である必要もない。隣り合う伝熱管２２どうしの間に挿入された時に撓みやすく、挿入された状態でねじ３０と熱交換器２０の右端部に取り付けられた第二取付板２５とで第一凸部２３ｅを挟んで、フィンガード２３を第二取付板２５にねじ止めできる形状であればよい。
【００２９】
なお、本実施の形態では、第一凸部２３ｅと第二凸部２３ｆとが各縦桟２３ａに対して設けられているが、それに限定されず、たとえば第一凸部２３ｅと第二凸部２３ｆとを各縦桟２３ａに対して交互に設けてもよく、第一凸部２３ｅと第二凸部２３ｆとを各縦桟２３ａに対してどのように設けるかは、適宜決めてよい。ただし、フィンガード２３の長手方向の右端部に位置する縦桟２３ａには、ねじ止めするため少なくとも第一凸部２３ｅを設けた方がよい。
【００３０】
図１３は、本発明の実施の形態に係る空気調和機の本体１に熱交換器を取り付ける際の空気調和機の縦断面図、図１４は、本発明の実施の形態に係る空気調和機の本体１に熱交換器を取り付けた際の空気調和機の縦断面図である。
次に、熱交換器２０の本体１への取り付け方法について説明する。
図１３に示すように、熱交換器２０は、本体１に貫流ファン１０が取り付けられた状態で本体１に取り付け、本体１の内部に収納する。まず初めに、本体１の前面側から背面熱交換器２０ｂの下端部を、背面筐体１ｂに形成された溝部３に挿入する（つまり、図１３の矢印方向に挿入する）。ここで、溝部３は、背面熱交換器２０ｂの下端部を収納できる形状を有している。次に、第一取付板２４および第二取付板２５を、背面筐体１ｂの左右に設けられた固定板（図示せず）にそれぞれ取り付けることにより、図１４に示すように貫流ファン１０を上側から覆うように熱交換器２０が本体１に取り付けられる。
【００３１】
以上のようにして熱交換器２０を本体１に取り付けるが、作業者は背面熱交換器２０ｂの下端部を背面筐体１ｂの溝部３に挿入する際、背面筐体１ｂの溝部３の形状が熱交換器２０で隠れてしまい、見えづらい状態で取り付け作業を行うことになる。そのため、従来では取り付け作業中に、熱交換器２０の内側の特に背面熱交換器２０ｂの下側前面および下面を本体１の内部にぶつけてしまい、その部分における熱交換器２０のフィン２１が傷ついたり潰れたりしてしまうことがあった。
【００３２】
そこで、本実施の形態のように、フィンガード２３を熱交換器２０に取り付けることにより、熱交換器２０を本体１に取り付ける際に本体１の内部にぶつけたとしても、熱交換器２０の代わりにフィンガード２３がぶつかり、熱交換器２０への衝撃が緩和されるため、熱交換器２０のフィン２１を保護することができる。
【００３３】
なお、本実施の形態では、フィンガード２３を、熱交換器２０を本体１に取り付ける際に見えづらく、本体１に一番ぶつけやすい部分である背面熱交換器２０ｂの下側前面に、前面熱交換器２０ａの下側前面および下面が覆われるように取り付けるものとしたが、それに限定されるものではない。同様に、熱交換器２０を本体１に取り付ける際に見えづらく、本体１にぶつけやすい部分である、前面熱交換器２０ａの下側背面（または熱交換器２０の前面側の下側内面）に、前面熱交換器２０ａの下側背面および下面が覆われるように取り付けてもよい。
【００３４】
図１５は、本発明の実施の形態に係る空気調和機の本体１の内部の要部を示す図、図１６は、本発明の実施の形態に係る空気調和機の本体１の内部の要部を示す拡大図である。
貫流ファン１０は、回転軸方向（図１５および図１６の左右方向）に所定の間隔を空けて設けられた複数の翼支持部材であるリング１０ａと、隣り合うリング１０ａどうしの間に、外周側かつ周方向に所定の間隔を空けて設けられた複数の翼１０ｂと、で構成されている。
【００３５】
ここで、空気調和機の室内ユニットの動作について簡単に説明する。運転を開始すると貫流ファン１０が回転駆動し、それによって発生した空気の流れにより吸込口６から室内空気が本体１の内部に吸い込まれて熱交換器２０を通過し、通過する際に熱交換器２０にて熱交換された空気が吹出口４から室内へ吹き出される。
【００３６】
図１５および図１６に示すように、熱交換器２０が本体１に取り付けられた状態において、フィンガード２３の縦桟２３ａ（のうち少なくとも一番端に位置する縦桟２３ａ以外）は、リング１０ａと対向する位置に配置されている。
これは、貫流ファン１０の回転駆動によって発生した空気の流れは貫流ファン１０の回転軸に対して垂直方向に流れるが、フィンガード２３の各縦桟２３ａを上記のようにリング１０ａと対向する位置に配置することにより、空気の流れをできるだけ妨げないようにするためである。そうすることにより、熱交換器２０における熱交換効率の低下を抑制することができる。
【００３７】
図１７は、本発明の実施の形態に係る空気調和機の縦断面における要部を拡大した概略図である。なお、図１７中の矢印は、貫流ファン１０の回転駆動によって発生した空気の流れを示している。
図１７に示すように、熱交換器２０が本体１に取り付けられた状態において、フィンガード２３の各横桟２３ｂは、伝熱管２２と対向する位置に配置されている。言い換えると、フィンガード２３の各横桟２３ｂは、背面熱交換器２０ｂに空気が侵入してくる方向である背面熱交換器２０ｂの背面側から見て、伝熱管２２に隠れる位置に配置されている。
【００３８】
これは、貫流ファン１０の回転駆動によって発生した空気が、矢印のように背面熱交換器２０ｂの背面側から伝熱管２２の間を流れるが、フィンガード２３の各横桟２３ｂを上記のように伝熱管２２と対向する位置（または伝熱管２２に隠れる位置）に配置することにより、横桟２３ｂを空気の流路外に配置することができる。そうすることにより、空気の流れをできるだけ妨げないようにすることができるため、熱交換器２０における熱交換効率の低下を抑制することができる。
【００３９】
なお、フィンガード２３の横桟２３ｂの上下方向の幅を伝熱管２２の直径より短くすることで、横桟２３ｂの全体を伝熱管２２に隠すことができるため、熱交換器２０における熱交換効率の低下をさらに抑制することができる。
また、図１７に示すように、横桟２３ｂの上下方向の端部はＲ形状を有している。これは、矢印のように流れてきた空気の横桟２３ｂにおける空気抵抗を抑えるためである。そうすることにより、熱交換器２０における熱交換効率の低下を抑制することができる。
【００４０】
なお、本実施の形態では、横桟２３ｂの上下方向の端部はＲ形状を有しているとしたが、それに限定されず、空気の流れる方向に対して流線形状を有するようにしてもよい。そうすることによっても、矢印のように流れてきた空気の横桟２３ｂにおける空気抵抗を抑えることができ、熱交換器２０における熱交換効率の低下を抑制することができる。
【００４１】
以上より、本実施の形態に係る空気調和機によれば、背面熱交換器２０ｂの下側前面（または熱交換器２０の背面側の下側内面）にフィンガード２３を取り付けることによって、熱交換器２０を本体１に取り付ける際に、熱交換器２０のフィン２１を保護することができる。そのため、フィン２１が傷ついたり潰れたりして熱交換性能が悪化するのを抑制することができる。
【００４２】
また、フィンガード２３の熱交換器２０への取り付け方法において、フィンガード２３の長手方向の左端部に設けられた嵌合部２３ｄを、熱交換器２０の第一取付板２４に設けられた板側嵌合部２４ａに挿入する。その後、縦桟２３ａに設けられた第一凸部２３ｅおよび第二凸部２３ｆを、背面熱交換器２０ｂの伝熱管２２の間に挿入する。そして、フィンガード２３を背面熱交換器２０ｂに仮止めした状態で、熱交換器２０の第二取付板２５にねじ止めする。そのため、フィンガード２３を熱交換器２０へ容易に取り付けることができる。
【００４３】
また、熱交換器２０が本体１に取り付けられた状態において、フィンガード２３の各縦桟２３ａは、貫流ファン１０のリング１０ａと対向する位置に配置されている。また、各横桟２３ｂは、背面熱交換器２０ｂの伝熱管２２と対向する位置に配置されている。言い換えると、フィンガード２３の各横桟２３ｂは、背面熱交換器２０ｂに空気が侵入してくる方向である背面熱交換器２０ｂの背面側から見て、伝熱管２２に隠れる位置に配置されている。そのため、貫流ファン１０の回転駆動によって発生した空気の流れをできるだけ妨げないようにすることができ、熱交換器２０における熱交換効率の低下を抑制することができる。
【符号の説明】
【００４４】
１  本体、１ａ  前面筐体、１ｂ  背面筐体、２  意匠前面パネル、３  溝部、４  吹出口、５  風向上下変更板、６  吸込口、１０  貫流ファン、１０ａ  リング、１０ｂ  翼、２０  熱交換器、２０ａ  前面熱交換器、２０ｂ  背面熱交換器、２１  フィン、２２  伝熱管、２３  フィンガード、２３ａ  縦桟、２３ｂ  横桟、２３ｃ  平面、２３ｄ  嵌合部、２３ｅ  第一凸部、２３ｆ  第二凸部、２４  第一取付板、２４ａ  板側嵌合部、２５  第二取付板、３０  ねじ、３０ａ  ねじ穴。
【図１】
0006289348.tif 000002
【図２】
0006289348.tif 000003
【図３】
0006289348.tif 000004
【図４】
0006289348.tif 000005
【図５】
0006289348.tif 000006
【図６】
0006289348.tif 000007
【図７】
0006289348.tif 000008
【図８】
0006289348.tif 000009
【図９】
0006289348.tif 000010
【図１０】
0006289348.tif 000011
【図１１】
0006289348.tif 000012
【図１２】
0006289348.tif 000013
【図１３】
0006289348.tif 000014
【図１４】
0006289348.tif 000015
【図１５】
0006289348.tif 000016
【図１６】
0006289348.tif 000017
【図１７】
0006289348.tif 000018